(57)【要約】【課題】  従来の手指を汚さずに食品等の対象物と使用者の間に介在して衛生的に摘んで食べることができる摘み具は、先端部の摘む力が弱い形状構成であるために、先端部で摘める対象物が限定されて薄くて小さい対象物を摘むのは不可能だった。本発明は先端部の摘む力を強める形状構成として、薄くて小さい対象物を含めて多種多様の対象物を手指先代用をして手軽に衛生的に摘んで食べることを可能にした指先代用摘み具を提供する。【解決手段】  摘み具本体の各腕部の先端に手指先の代用をする摘み部を設け、各摘み部を傾斜形状に折り曲げる摘み折り曲げ部を設け、各手指を載置する指載部を設け、各腕部を各手指の間に介在させる二つ折り形状に折り曲げる中央折り曲げ部を設けて一体形成したことを特徴とする指先代用摘み具。【選択図】図２
2015037513.tif 000002
【特許請求の範囲】
【請求項１】
摘み具本体の各腕部の先端に手指先の代用をする摘み部を設け、各摘み部を傾斜形状に折り曲げる摘み折り曲げ部を設け、各手指を載置する指載部を設け、各腕部を各手指の間に介在させる二つ折り形状に折り曲げる中央折り曲げ部を設けて一体形成したことを特徴とする指先代用摘み具。
【請求項２】
各摘み部及び各指載部の対象物と当接する使用面の表面に凸部を複数設けたことを特徴とする請求項１記載の指先代用摘み具。
【請求項３】
各指載部の手指が当接して載置する表面に指当敷を設けたことを特徴とする請求項１及び請求項２に記載の指先代用摘み具。
【請求項４】
各摘み部を収納する先端にフックを付けた吊り下げ紐付きの袋を設けたことを特徴とする請求項１及び請求項２及び請求項３に記載の指先代用摘み具。
【発明の詳細な説明】
【技術分野】
【０００１】  本発明は、菓子食品等の各種の対象物を手指に触れることなく、使用者の各手指の間に介在させて手指先の代用をして、各種の対象物を衛生的に摘んで食べることを可能にした指先代用摘み具に関するものである。
【背景技術】
【０００２】  従来、食品等の対象物に当接する使用面をほかの物品に付着させないように載置でき、手指を汚さずに食品等の対象物と使用者の手指の間に介在して衛生的に摘んで食べることができる摘み具が知られている。（特許文献１参照、図６示）
【先行技術文献】
【特許文献】
【０００３】
【特許文献１】  特開２０１２−０１０９８３号広報
【発明の概要】
【発明が解決しようとする課題】
【０００４】  しかしながら、上記従来の摘み具は、手指を載置した真下部分位置は押圧力が直接伝達するので対象物を強く摘むことができるが、先端部の摘む力は弱く、手指の押圧力を強めれば先端部に反り返る動きが生じて、逆に摘む力が削がれて弱くなる形状構成であるために先端部で摘める対象物が限定されて、一例として薄くて小さい対象物を摘んで食べることが不可能であるという問題点があった。
本発明は、以上の問題点を解決するためになされたものである。
【課題を解決するための手段】
【０００５】  摘み具本体の各腕部の先端に手指先の代用をする摘み部を設け、各摘み部を傾斜形状に折り曲げる摘み折り曲げ部を設け、各手指を載置する指載部を設け、各腕部を各手指の間に介在させる二つ折り形状に折り曲げる中央折り曲げ部を設けて一体形成したことを特徴とする指先代用摘み具。
【発明の効果】
【０００６】  従来不可能とされていた薄くて小さい対象物を摘んで食べることを、本発明により可能にし、いつでも何処でも手軽に菓子食品等の各種の対象物が手指に触れずに衛生的に、且つ手指に対象物の紛粒油等の汚れが付着するのを防止して、老若男女が特別の技術不要で安全に使用できる。
本発明は、通常素手指でも摘むことが困難である薄くて小さい紙切れ等の対象物も容易に摘み上げることができ、一例として床等に散らばり落ちた各種の汚物等を手指に一切触れることなく摘み上げて清潔に処理することができるので、屋内屋外を問わずに身近に常備しておけば日常的な多種多様の用途に手軽に使用できるので便利である。
【図面の簡単な説明】
【０００７】
【図１】  本発明の仮完成斜視図
【図２】  本発明の本完成斜視図
【図３】  本発明の使用状態を示す斜視図
【図４】  本発明の使用状態を示す斜視図
【図５】  本発明の袋に収納した状態を示す斜視図
【図６】  特許文献１の参照図
【発明を実施するための形態】
【０００８】  以下、本発明の実施の形態を説明する。
（ア）最初に、指先代用摘み具（１）は、右手指用と左手指用が同一形状構成であり、こ      の実施の形態に於ては右左手指兼用の指先代用摘み具（１）を図示（図１、図２、      図３、図４、図５）して説明する。
（イ）本発明の指先代用摘み具（１）は、エコロジ−プラスチックＰＥＴ樹脂版（商品名      ）等の折り曲げて復元力に富んだ折り曲げ自在硬材質の厚み０．５ミリ位で全長１      ８センチ位（成人男性用）の一枚の帯版状の摘み具本体（２）に各部をそれぞね設      けて一体形成したものである。
（ウ）図１は、摘み具本体（２）の各腕部（３）の先端に手指先の代用をして対象物（Ｔ      ）を摘む摘み部（４）を設け、各摘み部（４）の対象物（Ｔ）に当接する使用面側      の表面に複数の凸部（５）を設け、各摘み部（４）を傾斜形状に折り曲げる摘み折      り曲げ部（６）を設け、各手指の親指（Ｏ）と人差指（Ｈ）若しくは親指（Ｏ）と      人差指（Ｈ）・中指（Ｎ）をそれぞれ載置する指載部（７）を設け、各指載部（７      ）の対象物（Ｔ）に当接する使用面側の表面に複数の凸部（５）を設け、各指載部      （７）の各手指（ＯとＨ、若しくはＯとＨ・Ｎ）が当接して載置する面側の表面に      指当敷（８）を設け、各腕部（３）を折り曲げて二つ折り形状にする中央折り曲げ      部（９）を設けて一体形成して指先代用摘み具（１）を仮完成させたものである。
（エ）図２は、各摘み部（４）を各摘み折り曲げ部（６）に於て傾斜形状に折り曲げ、次      いで各腕部（３）を中央折り曲げ部（９）に於て二つ折り形状に折り曲げて一体形      成して指先代用摘み具（１）を本完成させたものである。
（オ）図３は、本完成させた指先代用摘み具（１）の各指載部（７）にそれぞれ親指（Ｏ      ）と人差指（Ｈ）を載置して、指先代用摘み具（１）を親指（Ｏ）と人差指（Ｈ）      の間に介在させて使用態勢を整えた状態である。
（カ）図４は、指先代用摘み具（１）を本完成させて使用態勢を整えた後、各摘み部（４      ）で対象物（Ｔ）を摘み上げた状態である。
（キ）図５は、本完成させた指先代用摘み具（１）の各摘み部（４）を互いに向かい合っ      た対象物（Ｔ）と当接する使用面同士を重ね合わせた状態にして、各摘み部（４）      全体をフック付きの吊り下げ紐を付けた袋（１０）に収納したものである。
以下、これらの各部を個別に順次詳しく説明する。
（ク）まず、本発明の重要な特徴であるところの各摘み部（４）は、各指載部（７）に載      置する親指（Ｏ）と人差指（Ｈ）若しくは親指（Ｏ）と人差指（Ｈ）・中指（Ｎ）      の各先端部よりも指差し方向へ突き出た（３センチ位・成人男性用）形状構成にし      て各手指が対象物（Ｔ）に触れるのを完全に防止する。
また、各摘み部（４）を摘み折り曲げ部（６）に於て折り曲げて傾斜形状としたこ      とで各摘み部（４）の先端部の摘む力が強くなり、薄くて小さい対象物（Ｔ）を確      実に安定して摘み上げることができる。
そして、各摘み部（４）の折り曲げ角度を大きくして急傾斜形状にすれば比例して      各摘み部（４）の先端部の対象物（Ｔ）を摘む力が強くなり、逆に各摘み部（４）      の折り曲げ角度を小さくして緩やかな傾斜形状にすれば各摘み部（４）の先端部の      摘む力が弱くなって対象物（Ｔ）をソフトに摘むことができるので、対象物（Ｔ）      の種類（大小・厚薄・硬軟等）に応じて各摘み部（４）の傾斜角度を調節すること      で多種多様の対象物（Ｔ）に適応させて使用することが可能である。
（ケ）各腕部（３）は、横幅を１．５センチ位（成人男性用）として、中央折り曲げ部（      ９）に於て角度６０度位に折り曲げて親指（Ｏ）と人差指（Ｈ）若しくは親指（Ｏ      ）と人差指（Ｈ）・中指（Ｎ）の間に指先代用摘み具（１）を介在させる形状とす      る。
（コ）各凸部（５）は、シリコン樹脂等の弾力に富んだ軟らかい材質の薄い版状の表面に      同材質の凸を複数設けた凸付版（１１）を各摘み部（４）の対象物（Ｔ）と当接す      る使用面側の表面及び各指載部（７）の対象物（Ｔ）と当接する使用面側の表面に      接着剤等で止着して設けて、摘んだ対象物（Ｔ）が滑る等して落下するのを防止す      る。
尚、各凸部（５）は各摘み部（４）及び各指載部（７）の対象物（Ｔ）が当接する      上記使用面側の表面に直に凸を複数設けてもよい。
（サ）各摘み折り曲げ部（６）は、各摘み部（４）を理想的な傾斜形状に正確に、且つ容      易に折り曲げることができるように各摘み折り曲げ部（６）の各両横幅の最狭部を      各摘み部（４）の各両横幅２センチ位（成人男性用）に比べて各両横幅を０．２ミ      リ位（計０．４ミリ位）減の１．６センチ位とした形状構成である。
（シ）中央折り曲げ部（９）は、各腕部（３）の相対する真中位置に設けられており、各      腕部（３）を理想的な二つ折り形状に容易に折り曲げることができるように、上記      各摘み折り曲げ部（６）と同様に中央折り曲げ部（９）の両横幅の最狭部を各腕部      （３）の各両横幅１．６センチ位（成人男性用）に比べて両横幅を０．２ミリ位（      計０．４ミリ位）減の１．２センチ位とした形状構成である。
（ス）各指載部（７）は、親指（Ｏ）と人差指（Ｈ）若しくは親指（Ｏ）と人差指（Ｈ）      ・中指（Ｎ）が余裕をもってそれぞれ載置できる大きさ（横幅２．５センチ位、成      人男性用）の円形状である。
（セ）各指当敷（８）は、綿布等の肌触りが良くて吸水性に富んだ材質で、当接して載置      する親指（Ｏ）と人差指（Ｈ）若しくは親指（Ｏ）と人差指（Ｈ）・中指（Ｎ）の      滑りを防止して汗を吸い取る等して安全で快適に長時間の使用を可能にする。
（ソ）袋部（１０）は、紙布等の材質で先端にフックを付けて吊り下げ紐を付けた各摘み      部（４）を収納できる大きさの袋形状構成であり、指先代用摘み具（１）を本完成      させた後の保管及び持ち運び時、若しくは指先代用摘み具（１）を使用した後に、      各摘み部（４）を収納してほかの物品等に各摘み部（４）の対象物（Ｔ）と当接す      る使用面が触れるのを防止して清潔で衛生的に使用するのに役立つ。
本発明は以上のような構造である。
本発明を使用するときは、まず仮完成の指先代用摘み具（１）の各摘み部（４）を、摘む対象物（Ｔ）の種類（大小・厚薄・硬軟等）に適応する傾斜角度に手で押さえて各摘み折り曲げ部（６）に於て折り曲げて理想の傾斜形状として、次に各腕部（３）を同様に手で押さえて角度６０度位に中央折り曲げ部（９）に於て折り曲げて二つ折り形状構成して指先代用摘み具（１）を本完成させる。
このように仮完成の指先代用摘み具（１）は、道具や技術が不要でいつでも何処でも誰でもが簡単に本完成させることができる。
尚、事前にあらかじめ仮完成の指先代用摘み具（１）を標準形状構成である各摘み部（４）を角度１０度位に各摘み折り曲げ部（６）に於て折り曲げて傾斜形状として、同様に各腕部（３）を角度６０度位に中央折り曲げ部（９）に於て折り曲げて二つ折り形状構成して指先代用摘み具（１）を本完成させた状態にして保管及び携帯して持ち歩いて、使用する際に対象物（Ｔ）に応じて角度調節をすることが可能である。
そして、本完成させた指先代用摘み具（１）の各指載部（７）に親指（Ｏ）と人差指（Ｈ）若しくは親指（Ｏ）と人差指（Ｈ）・中指（Ｎ）をそれぞれ載置して各指（ＯとＨ若しくはＯとＨ・Ｎ）の間に指先代用摘み具（１）を介在させて、箸を使う要領で対象物（Ｔ）を各摘み部（４）の間に挟むようにして摘み、しっかりと対象物（Ｔ）を摘んだことを確認した後、やはり箸を使う要領で口へ運んで食べる。対象物（Ｔ）が薄くて小さい場合は各摘み部（４）の主に先端部を使い、逆に対象物（Ｔ）が厚く大きくて重量もある場合は主に各指載部（７）の間に挟むようにして摘むことで対処できる。
この様に、指先代用摘み具（１）は多種多様の対象物（Ｔ）を手指に触れることなく摘むことができ、使用後は各摘み部（４）を袋（１０）に収納して持ち運べばほかの物品に触れても汚れを付着させる心配もなく、各摘み部（４）の汚れが付着した部分を洗浄して清潔で衛生面で問題がなければ、何回でも繰り返し使用することができるので経済的である。勿論、外出先の公園等で使用して使い捨てしても問題ない。
本発明の指先代用摘み具（１）は、製造工場で低コストで大量生産ができて安価で提供が可能であり、例えば菓子食品メ−カ−等が摘んで食べる自社商品の付帯サ−ビス品として指先代用摘み具（１）を顧客に提供すれば喜ばれて売上向上に役立つと共に、他社同業メ−カ−商品との差別化を図ることに低予算で利用することもできる。
【符号の説明】
【０００９】  １  指先代用摘み具、２  摘み具本体、３  腕部、４  摘み部、５  凸部、６  摘み折り曲げ部、７  指載部、８  指当敷、９  中央折り曲げ部、１０  袋、１１  凸付版、Ｔ  対象物、Ｏ  親指、Ｈ  人差指、Ｎ  中指、
【図１】
2015037513.tif 000003
【図２】
2015037513.tif 000004
【図３】
2015037513.tif 000005
【図４】
2015037513.tif 000006
【図５】
2015037513.tif 000007
【図６】
2015037513.tif 000008